(57)【要約】  本発明は、デバイスを遠隔制御する方法、遠隔制御されるデバイス、及びロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワークの無線セル内でデバイスを遠隔制御するために固定型トランシーバ・ステーションを使用する方法を提供するものであり、この方法では、制御チャンネル上に制御情報を送る固定型トランシーバ・ステーションを設けており、制御情報を無線セルに関する特定の情報とし、かつ制御チャンネルを、位置情報をブロードキャストするために使用されるチャンネル又はチャンネルの一部とする。【選択図】図１
2013519278.tif 000002
【特許請求の範囲】
【請求項１】
ロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワーク（３０）の無線セル内の固定型トランシーバ・ステーション（１０）によってデバイス（２０）を遠隔制御する方法であって、
前記デバイス（２０）を前記ネットワーク（３０）に登録せず、
制御チャンネル上に制御情報（１１）を送る前記固定型トランシーバ・ステーション（１０）を設け、
前記制御情報（１１）を前記無線セルに関する特定の情報とし、
前記制御チャンネルを、位置情報をブロードキャストするために使用されるチャンネル又はチャンネルの一部とし、かつ
前記制御情報（１１）に、前記デバイス（２０）を特定するように機能する識別部を含める
ことを含む方法。
【請求項２】
前記デバイス（２０）が前記ネットワーク（３０）との無線リソース制御接続を実行しない、請求項１に記載の方法。
【請求項３】
前記制御チャンネルが、システム情報ブロック（ＳＩＢ）チャンネルであり、好ましくは、システム情報ブロック（ＳＩＢ）タイプ２チャンネルである、請求項１又は２に記載の方法。
【請求項４】
前記制御情報（１１）が、
−１個のＵＭＴＳ登録領域（ＵＲＡ）の識別子、
−最大８個のＵＭＴＳ登録領域（ＵＲＡ）の識別子、及び
−一連の複数のＵＭＴＳ登録領域（ＵＲＡ）識別子
のうちの少なくとも１つを含む、請求項１〜３のいずれか一項に記載の方法。
【請求項５】
−前記制御情報（１１）が、前記デバイス（２０）の遠隔制御された動作を定めるように機能する命令部を含み、及び／又は
−前記制御情報（１１）の識別部が、１個のデバイス（２０）又は複数のデバイス（２０）を特定するようになっており、
好ましくは、前記識別部及び／又は前記命令部が、１個のＵＭＴＳ登録領域（ＵＲＡ）の識別子又は複数のＵＭＴＳ登録領域（ＵＲＡ）の識別子によって形成される、請求項１〜４のいずれか一項に記載の方法。
【請求項６】
前記ＵＭＴＳ登録領域（ＵＲＡ）の識別子又は少なくとも１個のＵＭＴＳ登録領域（ＵＲＡ）の識別子が、確保されているＵＭＴＳ登録領域（ＵＲＡ）における識別子のセットの一部である、請求項１〜５のいずれか一項に記載の方法。
【請求項７】
ロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワークの無線セル内の固定型トランシーバ・ステーション（１０）によって遠隔制御されるデバイス（２０）であって、
前記固定型トランシーバ・ステーション（１０）の制御チャンネル上の制御情報（１１）を受信可能とする受信手段（２１）を備え、
前記制御情報（１１）が前記無線セルに関する特定の情報になっており、
前記制御チャンネルが位置情報をブロードキャストするために使用されるチャンネル又はチャンネルの一部になっており、
前記制御情報（１１）が前記デバイス（２０）を特定する機能を有する識別部を含み、
前記デバイス（２０）が、前記制御情報（１１）をデコード可能とする制御手段（２２）をさらに備え、
前記デバイス（２０）が、ネットワーク（３０）に登録されず、かつ好ましくは、前記ネットワーク（３０）と無線リソース制御接続されていない、デバイス（２０）。
【請求項８】
前記制御チャンネルが、システム情報ブロック（ＳＩＢ）チャンネルになっており、好ましくは、システム情報ブロック（ＳＩＢ）タイプ２チャンネルになっている、請求項７に記載のデバイス（２０）。
【請求項９】
前記制御情報（１１）が、
−１個のＵＭＴＳ登録領域（ＵＲＡ）の識別子、
−最大８個のＵＭＴＳ登録領域（ＵＲＡ）の識別子、及び
−一連の複数のＵＭＴＳ登録領域（ＵＲＡ）の識別子
のうちの少なくとも１つを含んでいる、請求項７又は８に記載のデバイス（２０）。
【請求項１０】
−前記制御情報（１１）が、前記デバイス（２０）の遠隔制御された動作を定めるように機能する命令部を含み、及び／又は
−前記制御情報（１１）の識別部が、１個のデバイス（２０）又は複数のデバイス（２０）を特定するようになっており、
好ましくは、前記識別部及び／又は前記命令部が、１個のＵＭＴＳ登録領域（ＵＲＡ）の識別子又は複数のＵＭＴＳ登録領域（ＵＲＡ）の識別子によって形成されている、請求項７又は８に記載のデバイス（２０）。
【請求項１１】
ロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワーク（３０）の無線セル内にてデバイス（２０）を遠隔制御するために固定型トランシーバ・ステーションを使用する方法であって、
前記デバイス（２０）を、ネットワーク（３０）に登録せず、かつ好ましくは前記ネットワーク（３０）と無線リソース制御接続せず、
前記固定型トランシーバ・ステーション（１０）を、制御チャンネル上に制御情報（１１）を送るように定めて、
前記制御情報（１１）を前記無線セルに関する特定の情報とし、
前記制御チャンネルを、位置情報をブロードキャストするために使用されるチャンネル又はチャンネルの一部とし、かつ
前記制御情報（１１）に、前記デバイス（２０）を特定するように機能する識別部を含める
ことを含む方法。
【請求項１２】
前記制御チャンネルが、システム情報ブロック（ＳＩＢ）チャンネルであり、好ましくは、システム情報ブロック（ＳＩＢ）タイプ２チャンネルである、請求項１１に記載の方法。
【請求項１３】
前記制御情報（１１）が、少なくとも１つのＵＭＴＳ登録領域（ＵＲＡ）の識別子を含む、請求項１１又は１２に記載の方法。
【請求項１４】
請求項１〜６のいずれか一項に記載の方法を実行するために、固定型トランシーバ・ステーション（１０）を制御するコンピュータ読取り可能なプログラム・コードを含むプログラム。
【請求項１５】
請求項１〜６のいずれか一項に記載の方法を実行するために、固定型トランシーバ・ステーション（１０）を制御するプログラムを含むコンピュータ・プログラム製品。
【発明の詳細な説明】
【技術分野】
【０００１】
本発明は、ロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワークの無線セル内の固定型トランシーバ・ステーションによってデバイスを遠隔制御する方法に関する。
【背景技術】
【０００２】
ＬＴＥ及びＵＭＴＳにおいては、専用の制御メッセージを用いずに、個々のデバイス、デバイスのグループ、又は任意の数のデバイスを遠隔制御することができなくなっている。これは、
−あらゆるデバイスにおいて、全ての無線リソース制御（ＲＲＣ）用スタックを作動させる必要があるということと、
−あらゆるデバイスにおいて、トランシーバを作動させる必要があるということと、
−移動体通信ネットワークのオペレータが、デバイスとネットワークとの間の無線リソース制御（ＲＲＣ）接続を最初に確立せずに、任意のデバイスを遠隔制御するような方法が存在しないということと
を意味している。従って、無線リソース制御（ＲＲＣ）用スタックを実装しないデバイスは、移動体通信ネットワークのオペレータによる遠隔制御ができなくなっており、さらに、トランシーバの無いデバイスは、移動体通信ネットワークのオペレータによる遠隔制御ができなくなっている。
【０００３】
このことは、いくつかのデバイスが完全に遠隔制御できないということと、その他のデバイスが無線リソース制御（ＲＲＣ）接続のみでしか制御できないということとを意味するために、移動体通信ネットワークのオペレータに対する制約となり、さらに、このことによって、デバイスをネットワークに登録し、かつ専用のネットワーク・リソースを使用することが要求されることとなる。
【発明の概要】
【発明が解決しようとする課題】
【０００４】
本発明の目的は、ロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワークの無線セル内の固定型トランシーバ・ステーションによってデバイスを遠隔制御する方法を提供することにある。本発明の別の目的は、遠隔制御されるデバイスを提供すること、及びそのようなデバイスを遠隔制御するために固定型トランシーバ・ステーションを使用する方法を提供することにある。
【課題を解決するための手段】
【０００５】
本発明の目的は、ロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワークの無線セル内の固定型トランシーバ・ステーションによってデバイスを遠隔制御する方法を用いて実現されることとなる。ここで、当該デバイスはネットワークに登録されることがなく、このような方法においては、制御チャンネル上に制御情報を送る固定型トランシーバ・ステーションを設け、この制御情報を無線セルに関する特定の情報とし、制御チャンネルを、位置情報をブロードキャストするために使用されるチャンネル又はチャンネルの一部とし、制御情報に、デバイスを特定する（ｓｐｅｃｉｆｙ、指定する）機能を有する識別部を含める。
【０００６】
その結果、好ましくは、移動体通信ネットワークのオペレータによって遠隔制御可能である安価なデバイスを設置することができる。安価なデバイスは、トランシーバを必要とせずに、また極めて限定された無線リソース制御（ＲＲＣ）用スタックのみを実装することによって実現することができる。さらに、このような安価なデバイスをネットワークに登録しないために、このことは、例えば、加入者識別モジュール（ＳＩＭ）に関連するホーム位置レジスタ（ＨＬＲ）等のネットワーク・リソースを不要とする。
【０００７】
そのため、本発明においては、デバイスがネットワークと無線リソース制御接続していないことが好ましい。なお、「ネットワークと無線リソース制御（ＲＲＣ）接続していない」という用語によって、無線リソース制御が全く実現されないということ、又は限定された無線リソース制御（ＲＲＣ）用スタックのみが本発明の（機械）デバイスの中に（若しくはデバイスと一体になって）存在して本発明による方法に基づいて使用されるということのどちらかを意味することとなる。
【０００８】
本発明によれば、移動体通信ネットワークのオペレータが、そのロング・ターム・エボリューション（ＬＴＥ）及び／又はユニバーサル・モバイル・テレコミュニケーション・システム（ＵＭＴＳ）ネットワーク内に、安価なデバイスを、それらを遠隔制御かつ構成する可能性を失わないように構築かつ配置することができる。唯一要求されることとしては、そのようなデバイスが、ブロードキャスト共通制御チャンネル上で固定型トランシーバ・ステーション（例えば、ノードＢ（Ｎｏｄｅ  Ｂ）又は他の基地局）によって送られたシステム情報ブロードキャスト・メッセージ（システム情報ブロック（ＳＩＢ））を読取り可能とするということにある。
【０００９】
本発明においては、制御チャンネルが、システム情報ブロック（ＳＩＢ）チャンネル、好ましくは、システム情報ブロック（ＳＩＢ）タイプ２チャンネルであることが好ましい。
【００１０】
さらに、制御情報に、少なくとも１つのＵＭＴＳ登録領域（ＵＲＡ）の識別子（ｉｄｅｎｔｉｔｙ、アイデンティティ）を含めることが好ましい。
【００１１】
システム情報ブロック（ＳＩＢ）タイプ２は、ＵＭＴＳ登録領域（ＵＲＡ）の識別子リストを有している。３ＧＰＰにおいては、このＵＭＴＳ登録領域（ＵＲＡ）の識別子（すなわち、ＵＲＡ・ＩＤ）の範囲は、１から６５５３６（２１６）に渡っている。本発明においては、通常のネットワーク計画にて使用され、かつ確保されているＵＭＴＳ登録領域（ＵＲＡ）の識別子のセットを定義する。
【００１２】
本発明においては、各遠隔デバイスは、３ＧＰＰ仕様に従って、システム情報ブロック（ＳＩＢ）タイプ２の制御チャンネルを読み取るようになっている。デバイスが、受け取ったＵＭＴＳ登録領域（ＵＲＡ）の識別子リストの中で任意の確保されているＵＭＴＳ登録領域（ＵＲＡ）の識別子を検出すると、これをコードと解釈して、対応する動作、例えば、イネーブル／ディセーブル、周波数変更、又は他の任意の動作が実行されることとなる。このコードは、ＵＭＴＳ登録領域（ＵＲＡ）の識別子リストの中で確保されているＵＭＴＳ登録領域（ＵＲＡ）の識別子に関する特定の組合せとして、又はある期間に渡って、ＵＭＴＳ登録領域（ＵＲＡ）の識別子リストの中で確保されているＵＭＴＳ登録領域（ＵＲＡ）の識別子の一連の組合せとして送信されることができる。
【００１３】
そのため、本発明においては、
−制御情報に、デバイスの遠隔制御された動作を定義するように機能する命令部を含めること、及び／又は
−制御情報の識別部に１つのデバイス又は複数のデバイスを特定させること
が好ましく、
ここで、識別部及び／又は命令部は、１つのＵＭＴＳ登録領域（ＵＲＡ）の識別子又は複数のＵＭＴＳ登録領域（ＵＲＡ）の識別子によって形成される。
【００１４】
このことは、制御情報に識別部及び命令部を含めることが好ましいことを意味する。さらに、このことは、識別部及び命令部の両方を、１つのＵＭＴＳ登録領域（ＵＲＡ）の識別子の形式で又は複数のＵＭＴＳ登録領域（ＵＲＡ）の識別子の形式で提供することができるということを意味する。
【００１５】
本発明によれば、１つのＵＭＴＳ登録領域（ＵＲＡ）（例えば、１６ビットから成る）を、１つの識別部（又は複数の識別部）と１つの命令部（又は複数の命令部）との両方を提供するために使用することが可能であり、かつ好ましい。例えば、本発明における別の種々の方法によれば、単一のＵＲＡの中で、識別部及び命令部を伝えることができる、例えば、
−（単一ＵＲＡの）１４ビットを、遠隔制御されるデバイス（又はデバイスのグループ）をアドレス特定するために使用し（すなわち、識別部を構成する）、さらに、２ビットを命令部（すなわち、デバイスがどの動作を実行すべきかを示す）として使用すること、
−（単一ＵＲＡの）１５ビットを、遠隔制御されるデバイス（又はデバイスのグループ）をアドレス特定するために使用し（すなわち、識別部を構成する）、さらに、１ビットを命令部（すなわち、デバイスがどの動作を実行すべきかを示す）として使用すること
が挙げられる。本発明の別の実施形態によれば、２つのＵＲＡを、識別部及び命令部を伝えるために使用することができ、例えば、
−（２つのＵＲＡのうちの一方の）１６ビットを、遠隔制御されるデバイス（又はデバイスのグループ）をアドレス特定するために使用し（すなわち、識別部を構成する）、さらに、（２つのＵＲＡのうちの他方の）１６ビットを、命令部（すなわち、デバイスがどの動作を実行すべきかを示す）として使用すること、
−（２つのＵＲＡ、すなわち、１つのＵＲＡ及び別の８ビットのＵＲＡにおける）２４ビットを、遠隔制御されるデバイス（又はデバイスのグループ）をアドレス特定するために使用し（すなわち、これらのビットが識別部を構成する）、さらに、８ビットを、命令部（すなわち、どの動作を実行すべきかを示す）として使用すること
が挙げられる。
【００１６】
ロング・ターム・エボリューション（ＬＴＥ）ネットワーク内における本発明の態様は、他の種類の制御チャンネル及び他の種類の制御情報を使用すること、例えば、制御チャンネルとしてシステム情報ブロック（ＳＩＢ）タイプ９を使用すること及び制御情報としてＨＮＢネーム（ホーム・ノードＢネーム）を使用することに依存している。
【００１７】
本発明の別の目的は、ロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワークの無線セル内の固定型トランシーバ・ステーションによって遠隔制御されるデバイスを提供することにある。このデバイスは、固定型トランシーバ・ステーションの制御チャンネル上の制御情報を受信可能とする受信手段を備え、制御情報を無線セルに関する特定の情報とし、かつ制御チャンネルを、位置情報をブロードキャストするために使用されるチャンネル又はチャンネルの一部とし、制御情報に、デバイスを特定する機能を有する識別部を含めている。このデバイスは、制御情報をデコード可能とする制御手段をさらに備えている。さらに、このデバイスは、ネットワークに登録されず、好ましくは、ネットワークと無線リソース制御接続もしていない。
【００１８】
好ましくは、ＵＭＴＳ登録領域（ＵＲＡ）の識別子を、デバイスを遠隔制御するために用いることができる。
【００１９】
本発明によるそのようなデバイスは、好ましくは、完全な無線リソース制御（ＲＲＣ）用スタックを必ずしも必要としない単純なデバイスになっている。そのような単純なデバイスは、例えば、建物等の内部におけるセルの特定領域内の無線カバレッジを向上させるために、移動体通信ネットワークの無線セル内で使用される中継器として用いることができる。
【００２０】
本発明の別の目的は、ロング・ターム・エボリューション（ＬＴＥ）又はユニバーサル・モバイル・テレコミュニケーション・システム（ＵＭＴＳ）の地上無線アクセス・ネットワーク（ＵＴＲＡＮ）のいずれかの種類におけるセル方式移動体通信ネットワークの無線セル内でデバイスを遠隔制御するために固定型トランシーバ・ステーションを使用する方法を提供することにある。ここで、当該デバイスはネットワークに登録されておらず、また好ましくは、ネットワークと無線リソース制御接続もしておらず、この固定型トランシーバ・ステーションは、制御チャンネル上に制御情報を送るようになっており、この制御情報は無線セルに関する特定の情報となっており、制御チャンネルは位置情報をブロードキャストするために使用されるチャンネル又はチャンネルの一部になっており、制御情報がデバイスを特定する機能を有する識別部を含んでいる。
【００２１】
本発明のさらに別の目的は、本発明による方法を実行するために、固定型トランシーバ・ステーションを制御するコンピュータ読取り可能なプログラム・コードを含むプログラムを提供することにある。
【００２２】
本発明の別の目的は、上述したように、固定型トランシーバ・ステーションを制御するプログラムを含むコンピュータ・プログラム製品を提供することにある。
【００２３】
本発明のこれら及び他の特徴、機能及び利点は、本発明の原理を一例として例示する添付した図面と合わせて考慮すれば、下記の詳細な説明から明らかになるであろう。この説明は、本発明の範囲を限定するものではなく、単に例として与えられる。以下で引用する参照図は、添付の図面を指す。
【図面の簡単な説明】
【００２４】
【図１】本発明によるデバイスを制御する固定型トランシーバ・ステーションの実施形態を概略的に例示する図である。
【発明を実施するための形態】
【００２５】
本発明は、特定の実施形態に関連してまた特定の図面を参照して説明されるが、本発明はそれらに限定されることはないが、特許請求の範囲のみに限定される。描写された図面は略図に過ぎず、限定するものではない。図面では、幾つかの部品の寸法は誇張されており、説明する目的のスケールで描写されていない場合がある。
【００２６】
単数名詞を指すときに不定冠詞又は定冠詞、例えば、「ａ」、「ａｎ」、「ｔｈｅ」が使用される場合、何か他のものが具体的に記載されていない場合は、これにはその名詞の複数形が含まれるものとする。
【００２７】
さらに、明細書や特許請求の範囲の中の第１、第２、第３等の用語は、類似の要素間における区別をするために用いられ、必ずしも順番又は時間的な順序を示すために用いられていない。このように使用される用語は、適切な環境下にて入替可能であり、かつ本願の発明の実施形態は、本願に記載されたものとは別の順序で動作可能であるということを理解されたい。
【００２８】
図１には、本発明によるデバイス２０を制御するための固定型トランシーバ・ステーション１０の実施形態が、概略的に示されている。
【００２９】
この固定型トランシーバ・ステーション１０は、移動体通信ネットワーク３０に接続される又は移動体通信ネットワーク３０の一部になっている。本発明による通信ネットワーク３０は、ロング・ターム・エボリューション（ＬＴＥ）ネットワーク又はＵＭＴＳの地上無線アクセス・ネットワーク（ＵＴＲＡＮ）になっている。
【００３０】
固定型トランシーバ・ステーション１０は、制御チャンネル上に制御情報１１を送るようになっている。この制御情報１１は、固定型トランシーバ・ステーション１０の無線セルに関する特定の情報になっている。制御チャンネルは、位置情報、特に、ＵＭＴＳ登録領域（ＵＲＡ）の識別子情報をブロードキャストするために使用されるチャンネル又はチャンネルの一部になっている。好ましくは、制御チャンネルはシステム情報ブロック（ＳＩＢ）チャンネルであり、システム情報ブロック（ＳＩＢ）タイプ２チャンネルであることがより好ましい。
【００３１】
制御情報１１は、好ましくは、ＵＭＴＳ登録領域（ＵＲＡ）の識別子又は複数のＵＭＴＳ登録領域（ＵＲＡ）の識別子になっている。３ＧＰＰによれば、ＵＭＴＳ登録領域（ＵＲＡ）の識別子の範囲は、１〜６５５３６（２１６）であり、ＵＭＴＳ登録領域（ＵＲＡ）の識別子リストには、最大８ＵＭＴＳ登録領域（ＵＲＡ）の識別子を含めることができる。本発明においては、これを、デバイス２０を遠隔制御するために使用する。デバイス２０は、完全な無線リソース制御（ＲＲＣ）用スタックを有しないデバイスであることが好ましい。通信ネットワーク内部でセル識別に使用されるＵＭＴＳ登録領域（ＵＲＡ）の識別子の可能な値の範囲は、一定数のＵＭＴＳ登録領域（ＵＲＡ）の識別子がデバイス２０を遠隔制御するために使用可能となるように減少している。このことは、確保されているＵＭＴＳ登録領域（ＵＲＡ）の識別子のセットが、デバイス２０を遠隔制御するために使用されるように作られるということを意味する。デバイス２０が、ＵＭＴＳ登録領域（ＵＲＡ）の識別子の確保されているセットのＵＭＴＳ登録領域（ＵＲＡ）の識別子を受け取る場合、そのようなＵＭＴＳ登録領域（ＵＲＡ）の識別子は、セルに関する特定の識別情報として解釈されるのではなく、コード化された遠隔制御命令又はその一部として解釈される。
【００３２】
デバイス２０は、固定型トランシーバ・ステーション１０から制御情報１１を受信可能とする受信手段２１を備えている。さらに、デバイス２０は、制御情報１１をデコード可能とする制御手段２２を備えている。このことは、制御手段２２に基づいて、制御情報が固定型トランシーバ・ステーション１０から受信した命令として解釈可能であるということを意味している。
【００３３】
制御情報１１を受信することに基づいて、デバイス２０が実行する可能な動作には、
−デバイス２０をイネーブルすること、
−デバイス２０をディセーブルにすること、
−デバイス２０にて、その周波数を変えること、
−デバイス２０が、フィードバック、すなわち肯定応答信号を、例えば、ユーザに与えること
が含まれる。
【００３４】
本発明の実施形態によれば、同じ遠隔制御命令を示す制御情報１１が、一定の方法で（例えば、システム情報ブロック（ＳＩＢ）タイプ２がブロードキャストされるたびに）繰り返し送られることとなる。もちろん、遠隔制御命令が変化する場合には、制御情報１１が変化する必要がある。
【００３５】
本発明の別の実施形態によれば、遠隔制御命令に対応する制御情報１１には、例えば、特定の順序に基づいて様々な時間にシステム情報ブロック（ＳＩＢ）タイプ２をブロードキャストすることが含まれる。
【００３６】
本発明によれば、制御情報１１が識別部と命令部とを含むことが可能である。識別部は、固定型トランシーバ・ステーション１０の無線カバレッジ領域内で、一定数のそのようなデバイスの中からデバイス２０を個別に特定するように機能することとなる。例えば、制御情報の識別部に、アドレス特定されるデバイス２０の（固有の）連続番号を含めることができる。
【図１】
2013519278.tif 000003
【国際調査報告】
2013519278.tif 000004
2013519278.tif 000005
2013519278.tif 000006